【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
第１の画像データと、該第１の画像データと同一のレイアウトを有する第２の画像データと、を入力する入力手段と、
前記第１の画像データに含まれる文字列のテキストデータと該文字列の前記第１の画像データにおける位置情報と、前記第２の画像データに含まれる文字列のテキストデータと該文字列の前記第２の画像データにおける位置情報と、を取得する取得手段と、
ユーザから、前記取得手段により取得した前記第１の画像データに含まれる文字列から１つの文字列の指定を受ける受信手段と、
前記第２の画像データにおける、前記受信手段により受信した前記第１の画像データにおける文字列の位置に対応する位置にある文字列が、前記受信手段により受信文字列と一致する場合、前記第１の画像データと前記第２の画像データとを１つのフォルダに保存し、
前記第２の画像データにおける、前記受信手段により受信した前記第１の画像データにおける文字列の位置に対応する位置にある文字列が、前記受信手段により受信した文字列と一致しない場合、前記第１の画像データと前記第２の画像データとをそれぞれ異なるフォルダに保存する保存手段と、
を有することを特徴とする画像処理装置。
【請求項２】
前記保存手段により１つのフォルダを用いて取得した画像データを保存する場合、前記フォルダの名称は、前記受信手段により受信した文字列を含むことを特徴とする請求項１に記載の画像処理装置。
【請求項３】
前記保存手段によりそれぞれ異なるフォルダを用いて取得した画像データを保存する場合、
前記第１の画像データは、前記受信手段により受信した文字列を含む名称を有するフォルダに保存し、
前記第２の画像データは、前記第２の画像データにおける、前記受信手段により受信した前記第１の画像データにおける文字列の位置に対応する位置にある文字列を含む名称を有するフォルダに保存することを特徴とする請求項１に記載の画像処理装置。
【請求項４】
第１の画像データと、該第１の画像データと同一のレイアウトを有する第２の画像データと、を入力する入力手段と、
前記第１の画像データに含まれる文字列のテキストデータと該文字列の前記第１の画像データにおける位置情報と、前記第２の画像データに含まれる文字列のテキストデータと該文字列の前記第２の画像データにおける位置情報と、を取得する取得手段と、
ユーザから、前記取得手段により取得した前記第１の画像データに含まれる文字列から１つの文字列の指定を受ける受信手段と、
前記第２の画像データにおける、前記受信手段により受信した前記第１の画像データにおける文字列の位置に対応する位置にある文字列が、前記受信手段により受信した文字列と一致する場合、前記第１の画像データと前記第２の画像データとを１つのファイルとして保存し、
前記第２の画像データにおける、前記受信手段により受信した前記第１の画像データにおける文字列の位置に対応する位置にある文字列が、前記受信手段により受信した文字列と一致しない場合、前記第１の画像データと前記第２の画像データとをそれぞれ異なるファイルとして保存する保存手段と、
を有することを特徴とする画像処理装置。
【請求項５】
前記保存手段により１つのファイルとして取得した画像データを保存する場合、前記ファイルの名称は、前記受信手段により受信した文字列を含むことを特徴とする請求項４に記載の画像処理装置。
【請求項６】
前記保存手段によりそれぞれ異なるファイルとして取得した画像データを保存する場合、
前記第１の画像データは、前記受信手段により受信した文字列を含む名称を有するファイルとして保存し、
前記第２の画像データは、前記第２の画像データにおける、前記受信手段により受信した前記第１の画像データにおける文字列の位置に対応する位置にある文字列を含む名称を有するファイルとして保存することを特徴とする請求項４に記載の画像処理装置。
【請求項７】
前記取得した画像データを表示部に表示する表示制御手段を有し、
前記表示制御手段は、前記第１の画像データと前記第２の画像データとで共通する位置にて一致と判定された文字列と一致と判定されなかった文字列とを異なる表示形態で表示することを特徴とする請求項１又は４に記載の画像処理装置。
【請求項８】
前記表示制御手段は、前記第１の画像データと前記第２の画像データとで共通する位置にて、予め指定されたサイズよりも大きい文字を含む文字列のうち、一致と判定された文字列と一致と判定されなかった文字列とを異なる表示形態で前記表示部に表示することを特徴とする請求項７に記載の画像処理装置。
【請求項９】
前記表示制御手段は、前記第１の画像データと前記第２の画像データとで共通する位置にて、予め指定された文字数よりも大きい文字数を含む文字列のうち、一致と判定された文字列と一致と判定されなかった文字列とを異なる表示形態で前記表示部に表示することを特徴とする請求項７に記載の画像処理装置。
【請求項１０】
前記表示制御手段は、前記第１の画像データと前記第２の画像データとで共通する位置にて、予め指定された文字を含む文字列のうち、一致と判定された文字列と一致と判定されなかった文字列とを異なる表示形態で前記表示部に表示することを特徴とする請求項７に記載の画像処理装置。
【請求項１１】
前記第１の画像データと前記第２の画像データとを１つのフォルダに保存するか、前記第１の画像データと前記第２の画像データとをそれぞれ異なるフォルダに保存するか、選択する選択手段を有し、
前記選択手段により、前記１つのフォルダに保存することが選択されると、前記受信手段は、前記第１の画像データと前記第２の画像データとで共通する位置にて一致する文字列のみの指定が受信できるよう制御され、
前記選択手段により、前記それぞれ異なるフォルダに保存することが選択されると、前記受信手段は、前記第１の画像データと前記第２の画像データとで共通する位置にて一致しない文字列のみの指定が受信できるよう制御されることを特徴とする請求項１に記載の画像処理装置。
【請求項１２】
前記第１の画像データと前記第２の画像データとを１つのファイルとして保存するか、前記第１の画像データと前記第２の画像データとをそれぞれ異なるファイルとして保存するか、選択する選択手段を有し、
前記選択手段により、前記１つのファイルとして保存することが選択されると、前記受信手段は、前記第１の画像データと前記第２の画像データとで共通する位置にて一致する文字列のみの指定が受信できるよう制御され、
前記選択手段により、前記それぞれ異なるファイルとして保存することが選択されると、前記受信手段は、前記第１の画像データと前記第２の画像データとで共通する位置にて一致しない文字列のみの指定が受信できるよう制御されることを特徴とする請求項４に記載の画像処理装置。
【請求項１３】
第１の画像データと、該第１の画像データと同一のレイアウトを有する第２の画像データと、を入力する入力ステップと、
前記第１の画像データに含まれる文字列のテキストデータと該文字列の前記第１の画像データにおける位置情報と、前記第２の画像データに含まれる文字列のテキストデータと該文字列の前記第２の画像データにおける位置情報と、を取得する取得ステップと、
ユーザから、前記取得ステップにて取得した前記第１の画像データに含まれる文字列から１つの文字列の指定を受ける受信ステップと、
前記第２の画像データにおける、前記受信ステップにて受信した前記第１の画像データにおける文字列の位置に対応する位置にある文字列が、前記受信ステップにて受信した文字列と一致する場合、前記第１の画像データと前記第２の画像データとを１つのフォルダに保存し、
前記第２の画像データにおける、前記受信ステップにて受信した前記第１の画像データにおける文字列の位置に対応する位置にある文字列が、前記受信ステップにて受信した文字列と一致しない場合、前記第１の画像データと前記第２の画像データとをそれぞれ異なるフォルダに保存する保存ステップと、
を有することを特徴とする画像処理方法。
【請求項１４】
第１の画像データと、該第１の画像データと同一のレイアウトを有する第２の画像データと、を入力する入力ステップと、
前記第１のページの画像データに含まれる文字列のテキストデータと該文字列の前記第１の画像データにおける位置情報と、前記第２のページの画像データに含まれる文字列のテキストデータと該文字列の前記第２の画像データにおける位置情報と、を取得する取得ステップと、
ユーザから前記取得ステップにより取得した前記第１の画像データに含まれる文字列から１つの文字列の指定を受ける受信ステップと、
前記第２の画像データにおける、前記受信ステップにて受信した前記第１ページの画像データにおける文字列の位置に対応する位置にある文字列が、前記受信ステップにて受信した文字列と一致する場合、前記第１の画像データと前記第２の画像データとを１つのファイルとして保存し、
前記第２の画像データにおける、前記受信ステップにて受信した前記第１の画像データにおける文字列の位置に対応する位置にある文字列が、前記受信ステップにて受信した文字列と一致しない場合、前記第１の画像データと前記第２の画像データとをそれぞれ異なるファイルとして保存する保存ステップと、
を有することを特徴とする画像処理方法。
【請求項１５】
コンピュータに請求項１３又は請求項１４に記載の画像処理方法を実行させるためのプログラム。
【手続補正２】
【補正対象書類名】明細書
【補正対象項目名】０００７
【補正方法】変更
【補正の内容】
【０００７】
本発明は、前記課題を解決するためのものであり、本発明の画像処理装置は、第１の画像データと、該第１の画像データと同一のレイアウトを有する第２の画像データと、を入力する入力手段と、前記第１の画像データに含まれる文字列のテキストデータと該文字列の前記第１の画像データにおける位置情報と、前記第２の画像データに含まれる文字列のテキストデータと該文字列の前記第２の画像データにおける位置情報と、を取得する取得手段と、ユーザから、前記取得手段により取得した前記第１の画像データに含まれる文字列から１つの文字列の指定を受ける受信手段と、前記第２の画像データにおける、前記受信手段により受信した前記第１の画像データにおける文字列の位置に対応する位置にある文字列が、前記受信手段により受信文字列と一致する場合、前記第１の画像データと前記第２の画像データとを１つのフォルダに保存し、前記第２の画像データにおける、前記受信手段により受信した前記第１の画像データにおける文字列の位置に対応する位置にある文字列が、前記受信手段により受信した文字列と一致しない場合、前記第１の画像データと前記第２の画像データとをそれぞれ異なるフォルダに保存する保存手段と、を有することを特報とする。